(57)【特許請求の範囲】
【請求項１】
マスクに設けられる弾性部材やマスク自身の弾性力により前記マスクと人体の間に装着するマスク用保持具であって、  
外側に設けられ略円形状の人体に当接する人体当接部と、
前記人体当接部の周囲の内側に前記マスクと前記人体との密着度合いを遠ざける方向に起立し前記マスクと当接する起立部と、
前記起立部により形成し、前記人体の口及び鼻の位置に開口する円形状の開口部と、
前記起立部の先端部分に、鼻筋に沿って延長して下方に伸び、突起した片状の突起部と、
を備えたことを特徴とするマスク用保持具。
【請求項２】
前記人体当接部の顎の部分に当接する顎当接部は、顎から鼻に沿って切断した断面の形状を湾曲して形成した湾曲部を設け、湾曲部の２点の頂点に前記マスクを当接することを特徴とする請求項１に記載のマスク用保持具。
【発明の詳細な説明】
【技術分野】
【０００１】
本発明は、マスクを装着する際に、マスクが人体に密着しすぎないようにするために、マスクと人体との間に装着するマスク用保持具である。
【背景技術】
【０００２】
外出時の店舗に入る場合、人混みが多い公共交通機関を利用する場合、学校や職場等には必ずマスクを着用しなければならず、マスクを装着する時間を多く必要としている。
従来から、マスクを装着する際にマスクの一定の形状を維持し、鼻を圧迫しないながら、マスク内部の結露現象を抑えてマスクに装着する保持具が提案されてきている。
【０００３】
例えば、特許文献１に、鼻と耳に掛けられた樹脂成形のフレーム６の弾性力と、このフレーム６の鼻掛け部７の基部と側部８に設けられた支持部に掛けられた伸縮紐１２の張力で、不織布の内側フィルター２を外側の面から鼻、頬、及び顎に連続的に押し当て、顔との隙間を少なくし、フィルターの面積を大きくして鼻腔と口周り、前部と左右の頬、及び顎を覆う発明が提案されている。
【０００４】
例えば、特許文献２に、使用者の顔面をカバーし、内面と使用者の顔面との間に呼吸空間を形成するマスク本体と、呼吸空間の一側に設置され、外部からマスク本体を経由した空気が内部に満たされる空気袋と、吸気時に空気袋内部の空気を呼吸空間に供給し、呼気時に呼吸空間内部の空気を外部に排出するように動作する空気案内部材と、を含むことを特徴とする汚染物質吸入防止用マスクの発明が提案されている。
【０００５】
例えば、特許文献３に、外鼻と口脣の位置に対応する中央部１が突出して全体として膨らんでいる形状を有するマスク本体１０と、中央部１に形成された複数の通気孔２と、鼻柱に接触するマスク本体１０の上側に位置する鼻柱支持部３と、鼻柱支持部３の両側にそれぞれ離隔して配置された左側外鼻支持部材１１及び右側外鼻支持部材１２と、マスク本体１０の下部の少なくとも一部分に備えられ、使用者の呼気を排出するための通路を形成する空気排出エンボス６とを含む機能性マスクが提案されている。
【先行技術文献】
【特許文献】
【０００６】
【特許文献１】特開２０１６−  ９３３１８号公報
【特許文献２】特表２０１８−５１２２３５号公報
【特許文献３】特開２０１９−  ９０１５７号公報
【発明の開示】
【発明が解決しようとする課題】
【０００７】
しかしながら、従来のマスク用保持具は、装着するのに手間が掛かっていたり、また、大きく口の部分を覆ってしまい却って会話がし難くなってしまうという問題があった。
【０００８】
本発明は、マスクと人体の間に装着することが可能であって、会話がし易く、呼吸空間を確保しながらも装着時に直接的なマスクの締め付けることが少ないマスク用保持具を提供することにある。
【課題を解決するための手段】
【０００９】
マスクに設けられる弾性部材やマスク自身の弾性力により前記マスクと人体の間に装着するマスク用保持具であって、  
略円形状であって人体に当接する人体当接部と、
前記人体当接部の周囲に前記マスクと前記人体との密着度合いを遠ざける方向に起立し前記マスクと当接する起立部と、
前記起立部により形成し、前記人体の口及び鼻の位置に開口する円形状の開口部と、を備えたことを特徴とする。
【発明の効果】
【００１０】
本発明は、マスクを人体に密着する度合いを緩和し、直接的なマスクの締め付けや息苦しくもなく、呼吸や会話がし易くなる。また眼鏡が曇らない等の効果もある。
【図面の簡単な説明】
【００１１】
【図１】実施形態のマスク用保持具を人に装着した様子を示す概要図である。
【図２】実施形態のマスク用保持具の斜視図である。
【図３】実施形態のマスク用保持具の正面図である。
【図４】実施形態のマスク用保持具の右側面図である。
【図５】実施形態のマスク用保持具の平面図である。
【図６】実施形態のマスク用保持具の底面図である。
【図７】実施形態のマスク用保持具の図３に示されるＡ−Ａ線で切断した断面図である。
【図８】実施形態のマスク用保持具の図３に示されるＢ−Ｂ線で切断した断面図である。
【図９】実施形態の人がマスク用保持具及びマスクを装着した際の概要を現す概要図である。
【発明を実施するための形態】
【００１２】
本発明にかかるマスク用保持具について、図面を参照しつつ詳細に説明する。尚、以下に説明する実施形態及び図面は、本発明の実施形態の一部を例示するものであり、これらの構成に限定する目的に使用されるものではなく、本発明の要旨を逸脱しない範囲において適宜変更することができる。
【００１３】
図１から図９を参照し、マスク用保持具１０の構造を説明する。図１は、実施形態のマスク１と人体Ｍの間にマスク用保持具１０を装着した様子を示す概要図である。図２は、実施形態のマスク用保持具１０の斜視図である。図３は、実施形態のマスク用保持具１０の正面図である。図４は、実施形態のマスク用保持具１０の右側面図である。図５は、実施形態のマスク用保持具１０の平面図である。図６は、実施形態のマスク用保持具１０の底面図である。図７は、実施形態の図３に示されるＡ−Ａ線で切断したマスク用保持具１０の断面図である。図８は、実施形態の図３に示されるＢ−Ｂ線で切断したマスク用保持具１０の断面図である。図９は、実施形態の人がマスク用保持具１０及びマスク１を装着した際の概要を現す概要図である。
【００１４】
図１は、マスク１と人体Ｍの間にマスク用保持具１０を装着した様子を示す概要図である。マスク１は、ウレタンマスク、不織布マスク及び布マスク等が使用可能であって、マスク１のゴムやウレタン素材の伸縮によりマスク用保持具１０は、口周辺の人体Ｍに密着する。マスク用保持具１０は、特に素材は限定しないが、塩化ビニル、ポリウレタン又はシリコン等の弾性のある樹脂により形成されおり、折り曲げて持ち運ぶことも可能である。
【００１５】
図２及び図３に示すようにマスク用保持具１０は、正面視においておにぎり型の略円形形状の真ん中に、大きく開口した開口部１６を設けている。開口部１６は、呼吸や会話がし易いように空間を確保している。
【００１６】
マスク用保持具１０の一端は、鼻に当接する鼻当接部１１を円弧状に設けている。また、マスク用保持具１０の他端は、顎に当接する顎当接部１３を円弧状に設けている。また、マスク用保持具１０の外周に頬、顎及び鼻等の人体Ｍに当接する人体当接部１２を設けている。また、その人体当接部１２の周囲に起立した起立部１５を設けている。
【００１７】
実施形態のマスク用保持具１０の右側面図である図４又は実施形態の図３に示されるＡ−Ａ線で切断したマスク用保持具１０の断面図である図７に示すように、鼻当接部１１は、鼻の形状に合わせ、山状に起伏し、鼻を覆い形成している。マスク用保持具１０の中で厚みを厚く盛った盛り部１８と鼻に沿いマスク１に当接するマスク鼻当接部１７を形成している。
【００１８】
盛り部１８とマスク鼻当接部１７を結ぶ傾斜αの角度は、水平線に対して５０度から７０度の傾斜が最も良い。
顎当接部１３は、円弧状に下方に湾曲した湾曲部１４を備えている。そして、顎当接部１３は、湾曲した両端にマスク１に当接するマスク顎当接部１９を２箇所に形成している。
【００１９】
図５、図６、図８又は図９に示すように、マスク用保持具１０は、円弧状の顎当接部１３と山形状に起伏した鼻当接部１１を形成している。
鼻当接部１１は、鼻２の形状に合わせ、山状に起伏し、鼻２を覆い形成している。マスク用保持具１０の中で厚みを厚く盛られた盛り部１８を円弧状に形成している。盛り部１８により鼻の形状が崩れ難くなっている。盛り部１８は、起立部１５の保持にも役立っている。盛り部１８は、マスク用保持具１０の中の通常の部分の厚さの１．３倍から２倍の厚みが良く、厚いのは、１．５倍の厚みとするのが最も良い。マスク用保持具１０の通常の部分の厚みは約１ｍｍである。
【００２０】
人体当接部１２は、２０度から４５度程度の傾斜を備え、人体Ｍに密着し易い傾斜である。また、起立部１５は、マスク１に当接するが、人体Ｍには当接してはなく、人体Ｍとマスク１の密着を防ぐように、３ｍｍから９ｍｍの幅であって、鉛直若しくは鉛直から１５度から３０度の外側に向かう傾斜により人体Ｍとマスク１との間に空間を確保することが可能である。
【００２１】
以上の構成により、マスク用保持具１０は、人体当接部１２の周囲にマスク１を人体Ｍから遠ざける方向に起立する起立部１５を備え、その起立部１５によって、呼吸や会話をするための開口である開口部１６を形成することにより、マスク１を人体Ｍに密着する度合いを緩和し、締め付けや息苦しくなく、呼吸や会話がし易くする効果がある。開口部１６の縦方向の開口（ｌ）は７２ｍｍであり、横方向の開口（ｍ）は、６８ｍｍである。
正面視から視た、マスク用保持具１０全体に対して、開口部１６の面積の比率は、８０％から９３％が最も良い。
【００２２】
実施形態の人がマスク用保持具１０及びマスク１を装着した際の概要を現す概要図である図９に示すように、マスク用保持具１０は、小さな網掛けにより示した人体当接部１２を外周に設け、人体当接部１２の周囲に沿って大きな網掛けで示した起立部１５を起立して設け、その起立部１５の開口によって開口部１６を形成することによって、人体Ｍの一部である口３の部分や鼻２の部分をマスク１に密着する度合いを緩和している。
以上の構成により、マスク用保持具１０は、開口部１６において、マスク１を人体Ｍに密着する度合いを緩和して、締め付けや息苦しくなく、呼吸や会話がし易くなる。
【００２３】
湾曲部１４に対する弧の頂点である頂点部２１は、顎４に当接する部分である。特に、顎当接部１３は、湾曲した両端にマスク１に当接するマスク顎当接部１９を２箇所に形成している。この２点をマスク１に当接することにより、マスク１がずれることがない。
更に、マスク鼻当接部１７と２箇所のマスク顎当接部１９とにより、マスク１が垂れることを防いでる。これにより、開口部１６において、マスク１を人体Ｍに密着する度合いを緩和して、締め付けや息苦しくなく、呼吸や会話がし易くなる。
【００２４】
別形態の実施形態として、図３及び図９の破線に示す突起部２５を説明する。突起部２５は、マスク鼻当接部１７の先端から、そのままの傾斜に沿って幅及び長さを３ｍｍから８ｍｍの大きさに突起して形成している。図９に示すようにマスク１ａが更に人体Ｍの一部である口３の部分や鼻２の部分をマスク１に密着する度合いを緩和している。
これにより、開口部１６において、マスク１を人体Ｍに密着する度合いを緩和して、締め付けや息苦しくなく、呼吸や会話がし易くなる。尚、突起部２５の形状は、円弧状、円形状、四角形状等に限定することなく突起した形状であれば良い。  
【００２５】
（技術的特徴）
以下に本実施形態の技術的特徴点の一例を括弧に内に示すが、特に限定するものでもなく例示しているものであり、これら特徴から考えられる効果についても記載する。
【００２６】
＜第１の特徴点＞
マスク（例えば、主にマスク１、ウレタンマスクや不織布マスク等）に設けられる弾性部材やマスク自身の弾性力により前記マスクと人体の間に装着するマスク用保持具（例えば、主にマスク用保持具１０）であって、略円形状であって人体に当接する人体当接部（例えば、主に人体当接部１２）と、前記人体当接部の周囲に前記マスクと前記人体との密着度合いを遠ざける方向に起立し前記マスクと当接する起立部（例えば、主に起立部１５）と、前記起立部により形成し、前記人体の口（例えば、主に口３）及び鼻（例えば、主に鼻２）の位置に開口する円形状の開口部（例えば、主に開口部１６）と、を備えたことを特徴とする。
【００２７】
以上の特徴により、本発明のマスク用保持具は、マスクを人体に密着する度合いを緩和し、直接的なマスクの締め付けや息苦しくもなく、呼吸や会話がし易くなる。また眼鏡が曇らない等の効果もある。
【００２８】
＜第２の特徴点＞
前記人体当接部の顎の部分に当接する顎当接部（例えば、主に顎当接部１３）は、顎から鼻に沿って切断した断面の形状を湾曲して形成した湾曲部（例えば、主に湾曲部１４）を設け、湾曲部の２点の頂点（例えば、主にマスク顎当接部１９）に前記マスクを当接することを特徴とする。
本発明のマスク用保持具は、マスクを人体に密着する度合いを緩和し、直接的なマスクの締め付けや息苦しくもなく、呼吸や会話がし易くなる。また眼鏡が曇らない等の効果もある。
【００２９】
＜第３の特徴点＞
前記湾曲部は、顎に向かった曲面を備えたことを特徴とする。
本発明のマスク用保持具は、マスクを人体に密着する度合いを緩和し、直接的なマスクの締め付けや息苦しくもなく、呼吸や会話がし易くなる。また眼鏡が曇らない等の効果もある。
【００３０】
＜第４の特徴点＞
前記起立部は、２ｍｍから９ｍｍの幅にて円形状に囲い且つ断面の形状が湾曲して設けられていることを特徴とする。
本発明のマスク用保持具は、マスクを人体に密着する度合いを緩和し、直接的なマスクの締め付けや息苦しくもなく、呼吸や会話がし易くなる。また眼鏡が曇らない等の効果もある。
【００３１】
＜第５の特徴点＞
鼻の位置にある前記起立部の先端部分に人体から遠ざかる方向に突起する突起部（例えば、主に突起部２５）を備えたこと特徴とする。
本発明のマスク用保持具は、マスクを人体に密着する度合いを緩和し、直接的なマスクの締め付けや息苦しくもなく、呼吸や会話がし易くなる。また眼鏡が曇らない等の効果もある。
【符号の説明】
【００３２】
１…マスク、２…鼻、３…口、４…顎、１０…マスク用保持具、１１…鼻当接部、
１２…人体当接部、１３…顎当接部、１４…湾曲部、１５…起立部、１６…開口部、
１７…マスク鼻当接部、１８…盛り部、１９…マスク顎当接部、２１…頂点部、Ｍ…人体。
【要約】
【課題】本発明は、マスクと人体の間に装着することが可能であって、会話がし易く、呼吸空間を確保しながらも装着時に締め付けることが少ないマスク用保持具を提供することにある。
【解決手段】マスク１に設けられる弾性部材やマスク自身の弾性力によりマスクと人体の間に装着するマスク用保持具１０であって、略円形状であって人体に当接する人体当接部１２と、人体当接部の周囲にマスク１と人体Ｍとの密着度合いを遠ざける方向に起立しマスク１と当接する起立部１５と、起立部により形成し、人体Ｍの口３及び鼻２の位置に開口する円形状の開口部１６と、を備えたことを特徴とする。
【選択図】図２【図１】
0006945093.tif 000002
【図２】
0006945093.tif 000003
【図３】
0006945093.tif 000004
【図４】
0006945093.tif 000005
【図５】
0006945093.tif 000006
【図６】
0006945093.tif 000007
【図７】
0006945093.tif 000008
【図８】
0006945093.tif 000009
【図９】
0006945093.tif 000010